(57)【要約】【課題】排水口の排水能力をあまり悪くせずに、例えば髪の毛などの小さなゴミを除去できる排水口フィルターを提供する。【解決手段】排水口１０３を覆って配置される平板１１に、排水口１０３に連通する排水孔１３と、この排水孔１３を囲んで立設される複数の棒１５が構成する棒列１７を設ける。平板１１の上面には清掃部材７が設けられ、この清掃部材７は、平板１１の上面に重なる面部材１９に、前記複数の棒１５が貫通する複数の棒孔２１が形成される。棒列１７の上方には、平板１１と平行な状態でカバー９が設けられ、このカバー９は、平板又は面部材１９により支持部又は前記棒１５を介して支持される。【選択図】図１
2005264576.tif 000002
【特許請求の範囲】
【請求項１】
平面部に形成される排水口を覆って配置される平板と、この平板に開けられ前記排水口に連通する排水孔と、この排水孔を囲んで前記平板の上面に立設される複数の棒が構成する棒列と、を有することを特徴とする排水口フィルター。  
【請求項２】
前記平板の上面には清掃部材が設けられ、この清掃部材は、前記平板の上面に重なる面部材と、この面部材に形成されて、前記平板に対し垂直に立設される前記複数の棒が貫通する複数の棒孔と、を有することを特徴とする請求項１に記載の排水口フィルター。
【請求項３】
前記棒列の上方には前記平板と平行な状態でカバーが設けられ、このカバーは、前記平板又は前記面部材により支持部又は前記棒を介して支持されることを特徴とする請求項１、又は２に記載の排水口フィルター。
【請求項４】
前記清掃部材の面部材の上面に、あるいは前記平板の上面に、整流突起を形成したことを特徴とする請求項１、２、又は３に記載の排水口フィルター。
【発明の詳細な説明】
【技術分野】
【０００１】
この発明は、浴室の洗い場の床部などに形成される排水口に設けられ、髪の毛などのゴミを捕集するフィルターに関する。
【背景技術】
【０００２】
図１２に示すように、浴室の洗い場の床部などの平面部１０１に形成される排水口１０３には、円形の排水口金具１０５が取り付けられる。この排水口金具１０５には、複数のスリット状の孔１０７、あるいは複数の丸孔が形成されることで、大きなゴミが排水口１０３に流れ込まないようになっている。
【０００３】
しかし小さなゴミ、例えば髪の毛なども大量に排水口１０３に流れ込めば、配水管を詰まらせたりする不具合を起こすので、小さなゴミを除去するために、排水口金具１０５の上に載せるフィルターシート（図示しない）が提案されている。このフィルターシートは、排水口金具１０５のスリット状の孔１０７などよりも小さな孔が多く開けられたもので、片面に粘着面となっており、この粘着面を排水口金具１０５に張り付けた状態で使用される。
【０００４】
また、小さな穴ではなく、メッシュ状の材質を用いることで小さなゴミを除去するフィルターシート（図示しない）も、下記の特許文献１に提案される。
【特許文献１】特開平１１−２９３７３６
【発明の開示】
【発明が解決しようとする課題】
【０００５】
しかしながら、小さな孔が開けられたフィルターシートは、その小さな孔と排水口金具の例えばスリット状の孔が重なった部分のみが、排水可能な部分になり、従って、排水可能な部分は小さくなり、排水口の排水能力は悪くなってしまうものであった。  
また、メッシュ状の材質を用いるフィルターシートは、排水口金具の例えばスリット状の孔をメッシュ状の材質が覆うことになり、やはり排水口の排水能力は悪くなってしまうものであった。
【０００６】
そして、以上の排水能力の悪化は、髪の毛などが、排水可能な部分やメッシュ状の材質に溜まると、急激に悪化するものであった。
さらに、これらの小さな孔や、メッシュに捕捉された髪の毛などは穴を構成する部材やメッシュに絡まり、清掃のための除去が困難で手間取るものであった。
この発明は、以上の問題点を解決するために、排水口の排水能力をあまり悪くせずに、例えば髪の毛などの小さなゴミを除去できるフィルターを提供することを目的とする。
【課題を解決するための手段】
【０００７】
以上の課題を解決するために、第一発明は、平面部に形成される排水口を覆って配置される平板と、この平板に開けられ前記排水口に連通する排水孔と、この排水孔を囲んで前記平板の上面に立設される複数の棒が構成する棒列と、を有することを特徴とする排水口フィルターである。  
第二発明は、さらに、前記平板の上面には清掃部材が設けられ、この清掃部材は、前記平板の上面に重なる面部材と、この面部材に形成されて、前記平板に対し垂直に立設される前記複数の棒が貫通する複数の棒孔と、を有することを特徴とする排水口フィルターである。
【０００８】
第三発明は、さらに、前記棒列の上方には前記平板と平行な状態でカバーが設けられ、このカバーは、前記平板又は前記面部材により支持部又は前記棒を介して支持されることを特徴とする排水口フィルターである。
第四発明は、さらに、前記清掃部材の面部材の上面に、あるいは前記平板の上面に、整流突起を形成したことを特徴とする排水口フィルターである。
【発明の効果】
【０００９】
第一、第二、又は第三発明によれば、排水中の髪の毛などの小さなゴミは棒列に引っ掛かって除去されるが、この棒列は、排水口金具の例えばスリット状の孔に重なったり、孔を覆ったりすることがないので、排水口の排水能力は悪くしにくい。また、髪の毛などのゴミは棒列の下部から溜まっていくので、棒列の上部は排水が流れることが可能であり、排水能力はあまり悪くならない。
【００１０】
第二、又は第三発明によれば、さらに、平板の上面から清掃部材を上方へ移動させることで、平板の複数の棒に沿って、清掃部材の棒孔が移動し、よって、棒列に引っ掛かった髪の毛などのゴミを清掃部材が取り除いて清掃することができる。＃
第三発明によれば、さらに、カバーによって、棒列の先端や棒列に引っ掛かった髪の毛などのゴミを覆うことができ、安心感や美観を容易に得ることができる。また、風呂場のような環境では大量の湯水が棒列の間を流れることなく上部から直接排水口に注ぎ込まれフィルターの機能が弱くなることも起こり得るが、カバーによりこれを阻止することが出来る。＃
第四発明によれば、さらに、整流突起により、渦を形成し排水能力を高め、また、髪の毛等のゴミを捕捉し易くすることができる。
【発明を実施するための最良の形態】
【００１１】
この発明の第一実施形態を、図１から図６に示す。
図１（Ｃ）に示すように、お風呂の洗い場の床、すなわち洗い場の平面部１０１には、丸い断面を有する排水口１０３が形成される。この排水口１０３には通常、円盤状の排水口金具１０５が覆って設けられる。すなわち、排水口１０３の縁部には、リング状の凹部１が形成され、この凹部１に対し、円盤状の排水口金具１０５の縁部が載せられる。この排水口金具１０５には、複数の細いスリット状の孔１０７、あるいは複数の丸孔が形成されることで、大きなゴミが排水口１０３に流れ込まないようになっている。
【００１２】
この排水口金具１０５の上に、この実施形態の排水口フィルター３が載置される。この実施形態の排水口フィルター３は、フィルター本体５、清掃部材７、カバー９の３点からなる。
図２に示しように、フィルター本体５は、排水口金具１０５に重ねて配置される円盤状の平板１１の中央に、排水口１０３に一致して重なって連通する排水孔１３が開けられ、リング状に形成される。この排水孔１３を囲んで、平板１１の上面に複数の棒１５が、平板１１に対し垂直に立設されて、棒列１７を構成する。棒列１７は、内側と外側の２列で、内側の棒１５と外側の棒１５は、排水孔１３の中心から見て重ならないように、千鳥状に配置される。棒１５の先端は丸くなっている。
【００１３】
清掃部材７は、この実施形態では金属製であり、平板１１の上面に重なって設けられるようにリング状に形成される。すなわち、この清掃部材７は、平板１１の上面に重なるリング状の面部材１９に複数の棒孔２１が形成される。これらの棒孔２１は、平板１１に垂直に立設される複数の棒１５と一致する位置に配置され、各棒１５が貫通する。リング状の内側の縁には、円周方向に３つの支持アーム２３が上方に向かって突設され、これら支持アーム２３の先端に円盤状の支持台２５がリング状と同心に設けられる。これら支持アーム２３と支持台２５によって、カバー９を支持する支持部２７が形成される。
【００１４】
カバー９は、棒列１７の上方に、平板１１と平行な状態で設けられる。このカバー９は、フィルター本体５の平板１１の外周と同寸法の外周を有する円盤状を成し、肉厚で、図３に示すように裏面中央には、円盤状の嵌合凹部２９を有する。この嵌合凹部２９の底部には、円盤状のマグネット３１が取り付けられている。金属製の清掃部材７の支持台２５が、嵌合凹部２９に嵌合し、底部のマグネット３１に吸着されて、カバー９の支持がなされる。カバー９の上面には、模様や凹凸などの装飾を施してもよい。
【００１５】
「実施形態の効果」
この実施形態によれば、排水は、排水口フィルター３のフィルター本体及び清掃部材７のリング状の部分を乗り越えて、カバー９の下を通って、排水孔１３から排水口金具１０５の上に落ち、排水口１０３から排水される。その際に、図６に示すように、排水中の髪の毛３３などの小さなゴミは、排水孔１３を囲んだ棒列１７に引っ掛かる。この棒列１７は、排水口金具１０５の例えばスリット状の孔１０７に重なったり、孔１０７を覆ったりすることがないので、排水口１０３の排水能力は悪くしにくい。
【００１６】
また、髪の毛は棒列１７の下部に引っ掛かり、順に上方へ溜まっていく。棒列１７を構成する各棒１５の長さは十分に長く取れるので、棒列１７の上部は髪の毛が溜まってはおらず、排水が流れることが可能であり、排水能力はあまり悪くならない。
髪の毛などのゴミがたくさん溜まったら、フィルター本体５の上面から清掃部材７を上方へ移動させることで、平板１１の複数の棒１５に沿って、清掃部材７の棒孔２１が移動し、よって、棒列１７に引っ掛かった髪の毛などのゴミは、棒孔２１によりこそぎ取られる。よって、髪の毛などを清掃部材７により取り除いて清掃することができる。
【００１７】
さらに、棒列１７の先端の先端は丸くなっているものの、できれば露出してないほうが好ましい。また、溜まった髪の毛なども露出してないほうが美感上、好ましい。そして、この実施形態では、カバー９によって、棒列１７の先端や棒列１７に引っ掛かった髪の毛などのゴミを覆うことができるので、安心感や美観を容易に得ることができる。
【００１８】
また、カバー９を重くすれば、フィルターが水流の勢いで流されたり、傾いたりするのを防止できる。
「他の実施形態」
以上の実施形態では、図１（Ｃ）に示すように、排水口金具１０５の上に排水口フィルター３が載置されるものであったが、他の実施形態では、図１（Ｄ）に示すように、排水口金具１０５を外した排水口１０３に直接に排水口フィルター３が載置されるものであっても良い。すなわち、排水口１０３の縁部に形成されるリング状の凹部１に対し、排水口フィルター３の丸い縁部が載せられる。
【００１９】
以上の実施形態では、棒列１７は、内側と外側の２列でブラシ状あったが、他の実施形態では、図７及び図８に示す第二実施形態のように、１列の櫛状であってもよい（図７（Ｃ））。あるいは３列以上のブラシ状でもよい。また、この第二実施形態のように、清掃部材７のリング状の面部材１９に整流突起３５を形成してもよい。すなわち、リング状の面部材１９との同心円に対し、接線方向に位置する整流突起３５を複数設け、排水の流れを整え、渦を積極的に形成し排水能力を高めることができる。また、髪の毛等のゴミが棒列１７に捕捉され易くする効果が期待できる。
【００２０】
以上の実施形態では、カバー９は、清掃部材７の面部材１９に形成された支持部２７により支持されるものであったが、図９に示す第三実施形態のように、カバー９に形成された支持部２７を介して清掃部材７の面部材１９に支持されるものとしてもよい。すなわち、カバー９の裏面には、支持部２７を構成する支持脚３７が、円周方向に等間隔に３つ形成され、先端に嵌合凸部３９が形成される。この支持脚３７の嵌合凸部３３に一致する位置で、清掃部材７のリング状の面部材１９には、嵌合孔４０が形成され、この嵌合孔４０に嵌合凸部３３が嵌合して、支持がなされる。
【００２１】
以上の実施形態では、金属製の清掃部材７の支持台２５が、マグネット３１に吸着されて、嵌合凹部２９との嵌合を補助するものであったが、他の実施形態では、必ずしもマグネット３１は必要ではない。
以上の実施形態では、カバー９は、清掃部材７の面部材１９に形成された支持部２７により支持されるものであったが、図１０に示す第四実施形態のように、棒列１７を構成する棒１５を介してフィルター本体５の平板１１により支持されるものとしてもよい。この場合に、支持をおこなう棒１５は、全部の棒１５ではなく一部の棒１５とし、他の棒１５よりも長くし、対応してカバー９の裏面に形成される棒嵌合穴（図示せず）に、棒１５の先端が嵌合するものとしてもよい。
【００２２】
以上の実施形態では、清掃部材７は金属製であったが、図１１に示す第五実施形態のように、使い捨ての紙製とすることも可能である。この場合には、整流突起３５はフィルター本体５の平板１１に形成する。
以上の実施形態では、棒１５の素材は、特定しなかったものの、金属性でもかまわない。しかし、軟質のプラスチック製やゴム製とすれば、より安全性に配慮できる。
以上の実施形態では、カバー９はマグネット３１に吸着されて支持がなされるものであったが、他の実施形態では、嵌合によってのみ支持がなされるものとしてもよい。
以上の実施形態では、カバー９を設けたが、他の実施形態ではカバー９を設けないこともできる。
【図面の簡単な説明】
【００２３】
【図１】この発明の第一実施形態に係る排水口フィルターを示す図で、（Ａ）は平面図、（Ｂ）は側面図、（Ｃ）は排水口金具の上に載置して使用する状態を示す断面図、（Ｄ）は排水口に直接に載置して使用する状態を示す断面図である。
【図２】図１に示す排水口フィルターの分解斜視図で、（Ａ）はカバーの斜視図、（Ｂ）は清掃部材の斜視図、（Ｃ）はフィルター本体の斜視図である。
【図３】図２のカバーを示すもので、（Ａ）は平面図、（Ｂ）は側面図、（Ｃ）は背面図、（Ｄ）は（Ｃ）のＤ−Ｄ断面図である。
【図４】図２の清掃部材を示すもので、（Ａ）は平面図、（Ｂ）は側面図である。
【図５】図２のフィルター本体を示すもので、（Ａ）は平面図、（Ｂ）は側面図である。
【図６】図２のフィルターの効果を示すもので、（Ａ）は分解斜視図、（Ｂ）は平面図である。
【図７】この発明の第二実施形態に係る排水口フィルターを示す分解斜視図で、（Ａ）はカバーの斜視図、（Ｂ）は清掃部材の斜視図、（Ｃ）はフィルター本体の斜視図である。
【図８】図７の清掃部材を示すもので、（Ａ）は平面図、（Ｂ）は側面図である。
【図９】この発明の第三実施形態に係る排水口フィルターを示すもので、（Ａ）はカバーの側面図、（Ｂ）は（Ａ）の背面図、（Ｃ）は清掃部材の平面図、（Ｄ）は（Ｃ）の側面図である。なお、フィルター本体は図示しないが図７（Ｃ）と同じタイプになる。
【図１０】この発明の第四実施形態に係る排水口フィルターの全体斜視図である。
【図１１】この発明の第五実施形態に係る排水口フィルターの分解斜視図で、（Ａ）はカバーの斜視図、（Ｂ）は清掃部材の斜視図、（Ｃ）はフィルター本体の斜視図である。
【図１２】従来の排水口金具を示す斜視図である。
【符号の説明】
【００２４】
１…凹部、３…排水口フィルター、５…フィルター本体、７…清掃部材、９…カバー、１１…平板、１３…排水孔、１５…棒、１７…棒列、１９…面部材、２１…棒孔、２３…支持アーム、２５…支持台、２７…支持部、２９…嵌合凹部、３１…マグネット、１０１…平面部、１０３…排水口、１０５…排水口金具、１０７…孔。
【図１】
2005264576.tif 000003
【図２】
2005264576.tif 000004
【図３】
2005264576.tif 000005
【図４】
2005264576.tif 000006
【図５】
2005264576.tif 000007
【図６】
2005264576.tif 000008
【図７】
2005264576.tif 000009
【図８】
2005264576.tif 000010
【図９】
2005264576.tif 000011
【図１０】
2005264576.tif 000012
【図１１】
2005264576.tif 000013
【図１２】
2005264576.tif 000014